(57)【要約】  電気システムから熱を除去するシステムは、デシカント、蒸発冷却装置、空気移送装置及び空気流制御装置を有する除湿装置を含んでいる。空気移送装置は、除湿装置、蒸発冷却装置及び電気システムを介して、空気を移送する。空気流制御装置は、除湿装置を介して、流速を制御する。【選択図】図３
2016526142.tif 000002
【特許請求の範囲】
【請求項１】
乾燥剤を備えた１つまたは複数の除湿装置と、
１つまたは複数の蒸発冷却装置と、
１つまたは複数の空気移送装置と、
１つまたは複数の空気流制御装置と、を備える、電気システムから熱を除去するシステムであって、
少なくとも１つの前記空気移送装置は、少なくとも１つの前記除湿装置と、１つまたは複数の前記蒸発冷却装置と、１つまたは複数の前記電気システムを介して空気を移送するように構成され、
少なくとも１つの前記空気流制御装置は、少なくとも１つの前記除湿装置を介して流速を制御するように構成されている、
前記電気システムから熱を除去するシステム。
【請求項２】
少なくとも１つの前記除湿装置は、デシカント・ホイールを備える請求項１に記載の前記システム。
【請求項３】
少なくとも１つの前記空気流制御装置は、１つまたは複数の組みのダンパを備え、少なくとも１つの前記空気流制御装置が、前記除湿装置を介する空気流の速度を変化させるために、少なくとも１つの前記ダンパの開閉をするように構成されている請求項１に記載の前記システム。
【請求項４】
少なくとも１つの前記除湿装置をバイパスするように構成可能な１つまたは複数のダクトを更に備える請求項１に記載の前記システム。
【請求項５】
少なくとも１つの前記空気流制御装置は、制御器を備え、前記制御器は少なくとも１つの前記除湿装置を介する空気の流速を制御するように構成されている請求項１に記載の前記システム。
【請求項６】
更に、前記制御システムに連結された１つまたは複数の温度センサを備え、前記制御システムは、少なくとも１つの前記温度センサからの情報に少なくとも部分的に基づき、前記ダクトの空気流を制御するように構成されている請求項５に記載の前記システム。
【請求項７】
更に、前記制御システムに連結された１つまたは複数の湿度センサを備え、前記制御システムは、少なくとも１つの前記湿度センサからの情報に少なくとも部分的に基づき、前記ダクトの空気流を制御するように構成されている請求項５に記載の前記システム。
【請求項８】
更に、混合プレナムを備え、前記システムは、外気と少なくとも１つの前記除湿装置によって調整された空気を混合するように構成されている請求項１に記載の前記システム。
【請求項９】
前記１つまたは複数の除湿装置は２つ以上のデシカント・ホイールを備え、少なくとも２つ以上の前記デシカント・ホイールの各々は異なった空気流の空気を除湿するように構成されている請求項１に記載の前記システム。
【請求項１０】
少なくとも１つの前記除湿装置の上流にダクトのくびれ部を更に備え、少なくとも１つの前記空気移送装置は、空気中の水分の少なくとも一部が水蒸気から水滴に変換されるように前記ダクトの前記くびれ部を介して空気を移送するように構成される請求項１に記載の前記システム。
【請求項１１】
前記電気装置が前記データセンタにあり、前記システムは前記データセンタの前記電気装置からの加熱空気を少なくとも１つの前記デシカント・ホイールを介して移送するように構成され、前記加熱空気は前記デシカント・ホイールの再活性化を促進する請求項１に記載の前記システム。
【請求項１２】
空気を加熱するように構成されたソーラ加熱装置を更に備え、前記システムは前記デシカント・ホイールの再活性化を促進するために、前記ソーラ加熱装置によって加熱された前記空気の少なくとも一部を少なくとも１つの前記デシカント・ホイールを介して移送するように構成される請求項１に記載の前記システム。
【請求項１３】
前記電気システムによって加熱された第１空気流から第２空気流の熱に変換するように構成された熱交換器を更に備え、前記システムは前記デシカント・ホイールの再活性化を促進するために、前記第２空気流からの前記空気の少なくとも一部を少なくとも１つの前記デシカント・ホイールを介して移送するように構成されている請求項１に記載の前記システム。
【請求項１４】
１つまたは複数の空気流の流速を制御することと、
前記空気から水蒸気を除去するために、少なくとも１つの前記空気流の少なくとも一部を、乾燥剤を通して移送することと、
湿った媒体を介して前記空気流の少なくとも一部を移送することと、
前記湿った媒体からの前記空気の少なくとも一部を使用して１つまたは複数の電気システムからの熱を除去することと、
を含む、電気システムからの熱を除去する方法。
【請求項１５】
建物の部屋に連結されるダクトであって、前記ダクトが１つまたは複数のくびれ部を備える、前記ダクトと、
１つまたは複数の空気移送装置と、を備え、
前記空気移送装置の少なくとも１つは、空気中の水分の少なくとも一部が水蒸気から水滴に変換されるように、空気を前記ダクトの少なくとも１つの前記くびれ部の少なくとも１つを介して移送するように構成され、
前記水滴の少なくとも一部分は空気と水とを含む２相混合物により少なくとも１つの前記くびれ部から下流に運ばれるように構成されるシステム。
【発明の詳細な説明】
【背景技術】
【０００１】
電子部品は、使用の時に、廃熱エネルギーを発生する。この熱エネルギーは、コンポーネントが過熱し、誤動作となる可能性を緩和するため、除去されるべきである。一般にコンピュータシステムは、印刷回路基板、大容量記憶装置、電源及びプロセッサを含むが、これらに限らない、多くのそのようなコンポーネント、すなわち廃熱源を有している。例えば、１つのパーソナル・コンピュータ・システムが１００ワットから１５０ワットの廃熱を発生することもあり、複数のプロセッサを持つより大きいコンピュータの中には、２５０ワットの廃熱を発生するものもある。既知のコンピュータシステムには、ラック搭載コンポーネントとされる、より大きい複数のプロセッサ・コンピュータを複数有し、ラッキング・システム内に設置されるものもある。既知のラッキング・システムでは、そのようなラック搭載コンポーネントを４０も有するものもあり、従って、そのようなラッキング・システムは、１０キロワット程度の廃熱を発生することになる。更に、既知のデータセンタには、そのようなラッキング・システムを複数有しているものもある。
【０００２】
更に、既知のデータセンタには、複数のラッキング・システムから廃熱の除去を容易にするように構成された方法と装置を含んだものもある。更に、既知のデータセンタには、コンポーネント密度と使用に関して均一ではない複数の構成を含んだ複数のラッキング・システムを有し、各ラッキング・システムが残りのラッキング・システムに比べて均一ではない速度で廃熱を生ずるものもある。そのようなデータセンタにおいては、均一な熱除去方法と装置を均一ではない廃熱発生源に適用しても、廃熱除去において必ずしも十分に効率的で効果的であるとは限らない。
【０００３】
データセンタには、重要な冷却空気として、外気を利用するものもある。しかし、外気の特徴および品質は、所与の場所でさえ広く変わることもあり得る。季節の変化によって起こる温度や湿度の顕著な変化は別として、外気の環境品質は、無数の外部の要因のため変わることもある。入手可能性、冷却能力及び外気の品質の時間的変化は、データセンタの効果的な規模や空気冷却システムの運用において難しい課題を生じる。例えば、１年のより涼しい、より乾燥している期間で規模が決められる機械的冷却システムは、暑く、湿気が多い天候に適正な冷却を提供することができないこともある。逆に言えば、暑く、湿気が多い夏の数ヶ月間に効果的な冷却を提供するために規模が決定される機械的冷却システムは、１年の内のより涼しく、より乾燥している時期には、著しく過大な規模のシステムとなり得る。
【図面の簡単な説明】
【０００４】
【図１】空気と水滴の２相混合物が形成されるベンチュリ・セクションを含むデータセンタの一実施形態を図示するものである。
【図２】ベンチュリ・セクションと空気及び霧の２相混合物を帰還空気と混ぜるバイパスダクトを含むデータセンタの一実施形態を図示するものである。
【図３】ベンチュリ・セクションと空気及び水滴の２相混合物を乾燥するように作動し得るデシカント・ホイールを含むデータセンタの一実施形態を図示するものである。
【図４】デシカント・ホイールの一実施形態を図示するものである。
【図５】デシカント・ホイールとデシカント・バイパス・ダクトの空気の流れを制御するダンパを備えたデシカント・ホイールを有するデータセンタの一実施形態を図示するものである。
【図６】デシカント・ホイールに対する空気の流れを制御するダンパを備えた複数のデシカント・ホイールを有するデータセンタの一実施形態を図示するものである。
【図７】データセンタの電気負荷からの熱を乾燥剤再活性化ループに転換する熱交換器を有するデータセンタの一実施形態を図示するものである。
【図８】乾燥剤の再活性化を促進するソーラ熱システムを有するデータセンタの一実施形態を図示するものである。
【図９】乾燥剤を再活性化するために逆流配列を備えたデシカント・ホイールを有する建物の一実施形態を図示するものである。
【図１０】空気と水滴の２相混合物を使用するデータセンタの電気システムの冷却の一実施形態を図示するものである。
【図１１】デシカント・ホイールに対して制御された空気流を備えたデータセンタの電気システムの冷却の一実施形態を図示するものである。
【図１２】上部と下部の蒸発媒体バンクを有する蒸発冷却システムの一実施形態を図示する流体概略図である。
【発明を実施するための形態】
【０００５】
この明細書で記述されるいろいろな実施形態は、さまざまな修正や変形態様が可能である。特定の実施形態が、図面に例示され、本明細書で詳細に説明される。しかし、図面やそれに対する詳細な記述は、本開示を特定の開示された形態に限定することを意図するものではなく、反対に、添付の特許請求の範囲の趣旨と範囲内にある全ての修正、均等及び代替を包摂することを意図している。本明細書の見出しは、体系的な目的でのみ使用され、記述または特許請求の範囲を限定するために使用されることを意図していない。本出願のいたるところで使用されている通り、「してもよい」は、強制的な感覚（つまり、しなければならない）というよりは、むしろ許容の感覚（つまり、可能性があるという意味である）で使用されている。同様に、「含む」、「含んでいる」及び「含む」（三人称単数）という用語は、含むが、それに限定されないことを意味する。
【０００６】
データセンタにおける冷却電気装置のためのシステムと方法のさまざまな実施形態が開示される。一実施形態によれば、建物の熱発生コンポーネントを冷却するシステムは、建物の部屋に連結されたダクトと１つまたは複数の空気移送装置を含んでいる。ダクトは、ベンチュリ・セクションを含んでいる。空気移送装置は、空気中の水分の少なくとも一部が水蒸気から水滴に変換されるように、ダクトのベンチュリ・セクションを介して空気を移送する。水滴は、ベンチュリ・セクションから下流に、空気と水とを含む２相混合物により運ばれる。
【０００７】
一実施形態によれば、建物の熱発生コンポーネントを冷却するシステムは、建物の部屋に連結されたダクトと１つまたは複数の空気移送装置を含んでいる。ダクトは、くびれ部を含んでいる。空気移送装置は、空気中の水分が水蒸気から水滴に変換されるように、ダクトのくびれ部を介して空気を移送する。水滴は、くびれ部から下流に、空気と水とを含む２相混合物により運ばれる。
【０００８】
一実施形態によれば、建物の電気システムから熱を除去する方法は、空気中の水分の少なくとも一部が水蒸気から水滴に変換されるように、ダクトのくびれ部を介して空気を移送する。２相混合物の空気と水滴が移送される。電気装置は２相混合物を使用して冷却される。
【０００９】
一実施形態によれば、データセンタは、電気装置と冷却システムと方法を含んでいる。冷却システムは、デシカント・ホイール、デシカント・ホイールより下流の蒸発冷却装置、空気移送装置及び空気流制御装置を備えている。空気移送装置は、デシカント・ホイール、蒸発冷却装置を介し、電気装置の熱発生コンポーネントを横切って、空気を移送する。空気流制御装置は、少なくとも１つのデシカント・ホイールを介して、流れを制御する。
【００１０】
一実施形態によれば、電気システムからの熱を除去するシステムは、デシカント、蒸発冷却装置及び空気移送装置を備えた除湿装置と空気流制御装置を含んでいる。空気移送装置は、除湿装置、蒸発冷却装置、及び電気システムを介して、空気を移送する。空気流制御装置は、除湿装置を介する流れの速度を制御する。
【００１１】
一実施形態によれば、電気システムからの熱を除去する方法は、１つまたは複数の空気流の速度を制御することを含んでいる。空気流は、空気から水蒸気を除去するために、デシカントを横切って通過される。空気流は、湿気のある媒体を介して移送される。熱は湿気のある媒体からの空気を使用して電気システムから除去される。
【００１２】
この明細書で使用される「データセンタ」は、コンピュータ・オペレーションが実行される任意の設備または設備の一部を含むものである。データセンタは、サーバ、他のシステム及び特定の機能（例えば、イーコマース、データベースマネジメント）または多機能提供に特化したコンポーネントを含んでもよい。コンピュータ・オペレーションの実施例は、情報処理、通信及び作動制御を含んでいる。
【００１３】
この明細書で使用される「機械的冷却」とは、蒸気圧縮冷却システムで生じるような、少なくとも１流体について機械的な作用をすることに関係するプロセスによる空気の冷却を言う。
【００１４】
この明細書で使用される「蒸発冷却」とは、液体の蒸発によって空気を冷却することを言う。
【００１５】
この明細書で使用される「直接蒸発冷却」とは、冷却される空気流への液体の直接的な蒸発によって空気を冷却することを言う。
【００１６】
この明細書で使用される「断熱システム」とは、液体の蒸発によって冷却するシステムを言う。
【００１７】
この明細書で使用される「周囲の」とは、システムまたはデータセンタがある場所の外気の状況を言う。周囲温度は、例えば、空気処理システムの摂取フードの場所又はその近辺で計測され得る。
【００１８】
この明細書で使用される「計算装置」とは、計算オペレーションが実行されるシコンピュータシステムまたはそのコンポーネントなどの任意のさまざまな装置を言う。計算装置の一実施例は、ラック搭載サーバである。この明細書で使用される計算装置は、この技術分野でコンピュータと言われる集積回路に限らず、広くプロセッサ、サーバ、マイクロコントローラ、マイクロコンピュータ、プログラマブル・ロジック・コントローラ（ＰＬＣ）、特定用途集積回路及びその他のプログラマブル回路を指し、本明細書ではこれらの用語は互換可能に使用される。いくつかの例示的な計算装置には、イーコマース・サーバ、ネットワーク装置、通信機器、医療機器、電力管理制御装置及び業務用オーディオ機器（デジタル、アナログまたはその組み合わせ）が含まれる。さまざまな実施形態において、メモリはランダム・アクセス・メモリ（ＲＡＭ）などのコンピュータリーダブル媒体を含むが、これに限らないものであってよい。代替えとして、コンパクトディスク―リード・オンリ・メモリ（ＣＤ−ＲＯＭ）、磁気光学ディスク（ＭＯＤ）及び／またはデジタル・バーサタイル・ディスク（ＤＶＤ）もまた使用し得る。また、追加的入力チャンネルは、マウスやキーボードなどのオペレータインタフェイスに関連するコンピュータ周辺装置を含んでいる。代替として、例えば、スキャナを含み得るその他のコンピュータ周辺装置も使用され得る。更に、このいくつかの実施形態において、追加的出力チャンネルは、オペレータ・インタフェイス・モニタ及び／またはプリンタを含んでもよい。
【００１９】
この明細書で使用される「ダンパ」とは、ダクトまたはその他の経路を介して流体の流れを制御（例えば、増加または減少）するために移動され得る任意の装置またはコンポーネントを含んでいる。ダンパの実施例は、プレート、ブレード、パネルまたはディスクもしくはそれらの任意の組み合わせを含んでいる。例えば、ダンパは、ダクトの近くで同時に回転され得る、互いに平行な一連のプレートを含んでもよい。この明細書で使用されるダンパを「位置決めする」とは、開く、閉じるまたは部分的に開くなど、ダンパを介して所望の流れ特性を達成するために、１つまたは複数のダンパ素子を配置するまたは置いておくことを言う。４つの空気処理サブシステムを有するシステムにおいて、外気ダンパを位置決めすることは、当該サブシステムの１つにおける外気ダンパを開き、その他の３つのサブシステムにおいて外気ダンパを閉じたままにすることである。
【００２０】
この明細書で使用される「フリー冷却モード」は、空気処理サブシステムが外部発生源（設備外の空気など）から少なくとも部分的に空気を引き込み、空気処理サブシステムが空気を積極的に冷たくしないで電気機器に吹きかける（例えば、空気処理サブシステムの冷気コイルを介した流体の流れが、流動制御弁を閉じることによって遮断される）作動モードを含んでいる。
【００２１】
この明細書で使用される「部屋」とは、建物の部屋または空間のことである。「コンピュータ部屋」とは、ラック搭載サーバなどのコンピュータシステムが作動されている部屋を言う。
【００２２】
実施形態には、冷却システムが除湿システムを含んでいるものもある。所定の実施形態では、除湿システムが蒸発冷却システムなどの冷却システムの他の装置より上流に設置されている。除湿システムはデータ部屋及び／または空気処理サブシステムの冷却装置に、例えば、外気と比べて比較的乾燥している空気を供給し得る。
【００２３】
実施形態によっては、水蒸気が水滴に変換されるくびれ部を備えたダクトを有するシステムもある。水滴は下流に、空気と水の２相混合物により運ばれる。水滴の少なくとも一部は、その混合物から除去される。
【００２４】
実施形態には、建物の熱発生コンポーネントを冷却するシステムが、空気中の水蒸気を水滴（例えば、霧）に変換するベンチュリ・セクションを有するダクトを含んでいるものもある。水滴は、ベンチュリ・セクションから下流に、空気と水の２相混合物により運ばれる。水滴は、当該混合物から除去され得る。
【００２５】
図１は、除湿システムと直接蒸発冷却セクションを備えたデータセンタ冷却システムの一実施形態の概略図である。冷却システム１００は、データセンタ１０２で動作するコンピュータシステムから熱を除去し得る。冷却システム１００は、図１の実施形態において、冷却システム１００は、空気処理サブシステム１０４を含んでいる。空気処理サブシステム１０４は、冷却空気をデータセンタ１０２に向け得る。
【００２６】
冷却システム１００の空気処理サブシステム１０４の数は、変えてもよい。一実施形態では、冷却システム１００は多くの空気処理サブシステム１０４を含み得る。一実施形態では、冷却システム１００は４つの空気処理サブシステム１０４を含み得る。別の実施形態では、冷却システム１００は１つのみ空気処理サブシステム１０４を含んでいる。多数の空気処理サブシステム及び／または多数のデータセンタを有する設備では、空気処理サブシステムからの冷却空気がデータセンタ内またはデータセンタ間で分配及び／または再配向されるように、クロス・オーバ・ダクトが設けられる（例えば、供給側、帰還側または両方で）。空気処理サブシステムは、共通に、分離して又はその組み合わせで、制御されてもよい。所定の実施形態では、データセンタ用統合空気処理サブシステムの一部のみが外気ベントを有している。例えば、データセンタの空気処理システムの半分が外気ベントベントと帰還空気ベントとの両方を有し、その一方でデータセンタの空気処理システムの別の半分が帰還空気ベントのみを有してもよい。
【００２７】
各空気処理サブシステム１０４が、供給ダクト１０８と帰還ダクト１１０によってデータセンタ１０２と連結され得る。冷却空気は、空気処理サブシステム１０４から供給ダクト１０８を介してプレナム１１２に流入することができる。プレナム１１２から、冷却空気は流動制限装置１１４を介して部屋１１６に通過することができる。冷却空気は、ラック１１８を通過することができる。空気がラック１１８によって暖められた後、空気は帰還ダクト１１０を通過することができる。空気は１つまたは複数の空気処理サブシステムを再循環されるか、または当該システムから排気ベント１２０を介して排出される。排気ベント１２０は、排気ダンパ１２２を含んでいる。
【００２８】
空気冷却システム１００の空気は、外気、再循環空気または外気と再循環空気を組み合わせから取り込まれ得る。空気処理サブシステム１０４は、外気ベント１２４を備えている。外気ベント１２４は、外気ダンパ１２６を備えている。空気処理サブシステム１０４は、混合空気ダンパ１３０を備えている。
【００２９】
冷却システム１００は、除湿システム１３２、蒸発冷却器１３６、供給ファン１３８及び帰還ファン１４４を備えている。冷却システム１００は、バイパスダクト１４０を備えている。バイパスダクト１４０は、供給空気の全てまたは一部を蒸発冷却器１３６にバイパスすることができる。蒸発冷却器バイパスダンパ１４１と蒸発冷却器フェイスダンパ１４２は、蒸発冷却器１３６を介する流動を制御するため選択的に位置決めされ得る。冷却システム１００は、帰還空気バイパス１５１と帰還空気バイパスダンパ１５２を有している。供給ファン１３８と帰還ファン１４４は、ＶＦＤ１４６に連結されている。ＶＦＤ１４６は、制御ユニット１５０に連結されている。
【００３０】
除湿システム１３２は、ダクト１７０、インピンジメント・プレート・システム１７２及びバイパスシステム１７３を有している。ダクト１７０は、ベンチュリ・セクション１７４を備えている。ベンチュリ・セクションは、ベンチュリ・ノズルの形態であり得る。ベンチュリ・セクション１７４は、ダクトの断面積が減少されているくびれ部を有している。ベンチュリ・セクション１７４は、収束セクション１７６、狭いセクション１７８、拡大セクション１８０を有している。ベンチュリ・セクション１７４は、二次元のベンチュリ形または三次元のベンチュリ形であってもよい。
【００３１】
外気、帰還空気または両方の組み合わせは、源泉空気として提供され得る。源泉空気は、ベンチュリ・セクション１７４を介して、供給ファン１３８によって吸い込まれ得る。ベンチュリ・セクション１７４に入る空気の速度及びプレッシャーと比較して、狭いセクション１７８では、空気速度が増大し、圧力が減少する。狭いセクション１７８において、またはその近くでは、空気中の水蒸気の一部が、飽和状態から脱することができ、水滴が空気中に形成される。空気と霧の多相混合物が形成される。所定の実施形態において、狭いセクション１７８の温度は低下することもある。
【００３２】
インピンジメント・プレート・システム１７２は、プレート１８２、排出パン１８４及び排出パイプ１８６を有している。供給ファン１３８は、ベンチュリ・セクション１７４から、インピンジメント・プレート・システム１７２を横切って、空気を引き込む。インピンジメント・プレート・システム１７２は、水分除去装置として資することができる。ベンチュリ・セクション１７４から空気と水滴の混合物がプレート１８２を横切って流れるので、水はプレート１８２上に蓄積する（例えば、凝縮物という形で）ことができる。プレート上の水がプレート１８２から落下し、排出パン１８４に集まることができる。排出パン１８４に集まった水は、空気処理サブシステム１０４から排出パイプ１８６に運び去られ得る。
【００３３】
供給ファン１３８は、蒸発冷却器１３６を介して凝縮プレートシステム１７２を通過した空気を移動する。源泉空気の水分は除去されたものもあるので、蒸発冷却器１３６に供給された空気は比較的乾燥していることもある。蒸発冷却器１３６に、比較的乾燥している空気を提供することは、冷却システムの有効性を増大できる。
【００３４】
バイパスシステム１７３は、ダクトとベンチュリ・セクション１７４と、インピンジメント・プレート・システム１７２のいずれかまたは両方のバイパスを許容するダンパセットを備えている。
【００３５】
図１において、インピンジメント・プレート・システム１７２が、くびれ部１７８の下流であるとして、例示目的で示されている。実施形態の中には、水分除去装置が、ダクトのくびれ部とは別の位置に置かれているものもある。例えば、水を集めるためのインピンジメント・プレートは、ダクトの最も狭いセクション（例えば狭いセクション１７８）またはダクトの拡大部分（例えば、拡大セクション１８０）に置かれ得る。実施形態には、空気と霧の２相混合物から霧の除去を最適化するために、水分除去装置がダクトに置かれるものもある。
【００３６】
図１に図示された冷却システム１００において、除湿システム１３２が、外気、再循環空気または外気と再循環空気の組み合わせから、空気の除湿をするために、冷却システム１００の作動モードに従って使用される。
【００３７】
制御装置１５０は、空気処理サブシステム１０２と除湿システム１３２の制御装置を制御するようにプログラムされる。制御装置１５０は、供給ファン１３８、帰還ファン１４４、外気ダンパ１２６、排気ダンパ１２２及び混合空気ダンパ１３０に連結される。制御装置１５０は、温度センサ、湿度センサ及び圧力センサとデータ通信をする。例えば、制御装置１５０は、冷却システム１００の摂取フードの近くに置かれた温度センサ１９０とデータ通信をする。一実施形態では、制御装置１５０は、除湿システム１３２の下流にあるセンサ１９２とデータ通信する。
【００３８】
一実施形態においては、全てのデータセンタの空気処理サブシステムと除湿システムは、共通の制御装置によって制御される。他の実施形態においては、別個の制御器が個々の空気処理サブシステム及び除湿サブシステムのために設けられ、または空気処理サブシステム及び／または除湿サブシステムのサブセットのために設けられる。空気処理サブシステム及び除湿サブシステムにおける装置は自動、手動またはその組み合わせで制御され得る。
【００３９】
所定の実施形態においては、制御装置１５０は少なくとも１つのプログラム化可能なロジックコントローラを有している。とりわけ、ＰＬＣは、普及している作動条件に必要となる、データセンタ１０２を介する空気流のチャンネルを作るために、オペレータからのコマンド信号に基づき、空気処理システム１０４のダンパを開閉することができる。代わりに、ＰＬＣは、気流を調整する完全に開いた位置と完全に閉じられた位置の間でダンパを調整できる。
【００４０】
冷却システム１００は、一実施形態では、熱電対である複数の温度測定装置含んでいる。代替として、温度測定装置は、抵抗温度検出器（ＲＴＤ）及び本明細書で記述している冷却システム１００の作動を促進する任意の装置を含むが、これらに限らないものである。
【００４１】
図１に示された実施形態において、空気処理サブシステム１０４は、供給ダクト１０８を介して空気をプレナム１１２に流し込むことができる。他の実施形態において、プレナムを通ることなく、冷却空気を供給ダクトを介して部屋１１６に直接流し込むことができる。さまざまな実施形態において、流速と部屋１１６のラック１１８の間の空気の分布を制御するために、流動制限装置１１４を選択することができる。
【００４２】
さまざまな実施形態において、冷却システムの１つまたは複数の空気処理サブシステム、除湿システム、または蒸発冷却装置の作動が、１つまたは複数の条件に応答して制御される。例えば、温度や湿度など、１つまたは複数の所定の条件が満たされているときには、制御器が空気処理サブシステムの空気源を帰還空気から外気に切り替えるようにプログラムされ得る。
【００４３】
さまざまな実施形態において、データセンタの冷却システムは２つ以上の違ったモードで作動される。所与の時間の作動モードは、外気特性、冷却システムのいろいろな位置での空気特性及びデータセンタまたはその近くで優勢な他の特性に基づいて選ぶことができる。さまざまな実施形態において、マルチモード冷却システムは、データセンタを冷却するために必要なエネルギーの量を最小化できる。マルチモードシステムは、冷却空気システムのコンポーネントをより効率的な使用のために、システムの１つまたは複数の要素のサイズ／能力を減少し、冷却システムの運用費を減少し及び／または冷却有効性を（データセンタのコンピュータシステムをより低い作動温度などを通じて）改善する。
【００４４】
実施形態によっては、データセンタの冷却が、源泉空気（外気など）の前除湿を含むものもある。一実施形態では、外気温度及び／または除湿システムの上流の温度が監視され、除湿コイルの流体は、測定された気温より数度涼しく維持される。夏の数ヶ月間に南部フロリダで見受けられるように、外気は比較的暑く、湿気がある空気であることもある。除湿システムを出口とする空気は、比較的暑く乾燥している。一実施態様では、冷却モードは、蒸発冷却であってもよい。実施態様の中には、冷却モードが、機械的冷却と蒸発冷却を含むハイブリッドモードとするものもある。所定の実施態様では、除湿システムの作動パラメータが、冷却装置に対して供給空気が所望の特性を達成するように制御される。一実施形態では、除湿システムのコイルの水が外気及び／または除湿システムの到来空気より数度涼しい温度に維持されるものもある。所定の実施形態においては、データ部屋からの空気が除湿システム及び／または冷却装置を介して再循環され得る。
【００４５】
制御条件が割り当てられるシーケンスは、実施形態ごとに異なることができる。制御条件は時系列（連続的にまたは定期的にあるいは不定期に）監視され、モードスイッチは条件の変化に基づいて行うことができる。除湿システムは、連続的に、または空気の状態に基づいて、本明細書で説明される様々な動作モードで有効化または無効化され得る。
【００４６】
一つの実施形態では、建物の供給ファンは、Ｇｒｅｅｎｈｅｃｋ製ＱＥＰ−５４については、１分あたり１８０，０００立方フィートである。一つの実施形態では、建物の帰還ファンは、Ｃｏｍｅｆｒｉ製ＡＴＬＩ０−４０Ｔ２については、１分あたり１８０，０００立方フィートである。
【００４７】
実施形態には、空気および液状の水（例えば霧）の多相混合物が、建物の熱発生コンポーネントからの帰還空気と混ぜられ得るものもある。図２は、空気と霧の２相混合物を帰還空気と混ぜるためのベンチュリ・セクションとバイパスダクトを含むデータセンタの一実施形態を図示している。図２に図示されたシステムは、図１に関連する上述のシステム同様であってもいい。冷却システム２００は、ベンチュリ・セクション１７４、混合領域２０２及びバイパス２０４を有している。混合領域２０２は、ベント２０６を経て、帰還ダクト１１０と流動的連通状態に選択的に置かれる。ダンパ２０８は、帰還ダクト１１０から混合領域２０２までの空気の流れを制御するために作動される。
【００４８】
源泉空気は、ベンチュリ・セクション１７４を介して供給ファン１３８により吸い込まれ得る。狭いセクション１７８では、空気速度は増大し、圧力は、ベンチュリ・セクション１７４に到来する空気の速度と圧力と関連して減少する。狭いセクション１７８において、またはその近くでは、空気中の水蒸気の一部が、飽和状態から脱することができ、水滴が空気中に形成される。水滴が、空気と霧の２相混合物の空気中に形成され得る。
【００４９】
帰還ダクト１１０からの空気は、ダクト２０６を介して混合領域２０２に導入され得る。混合領域２０２では、空気と霧の２相混合物は、帰還ダクト１１０からの空気と混合できる。帰還ダクト１１０から導入された空気は、データセンタ１０２のコンポーネントにより熱せられていることもある。帰還ダクト１１０からの空気からの熱は、２相混合物の水滴の一部を飽和に戻し得る。このようにして、帰還空気は、データセンタ１０２に再循環される前に冷却され得る。
【００５０】
実施形態の中には、建物のコンポーネントを冷却するために空気が使われる前に、デシカントシステムは源泉空気から水を取り除く。所定の実施形態において、デシカントシステムによって除湿された空気が、コンポーネントを冷却するために使用される前に、直接蒸発冷却器を使用して冷却される。
【００５１】
実施形態においては、デシカントシステムは、空気と霧の２相混合物から水を取り除くために使用されるものもある。図３は、ベンチュリ・セクションと空気及び水滴の２相混合物を乾燥するように作動できるデシカント・ホイール・システムを備えたデータセンタの一実施形態を図示している。冷却システム２２０は、除湿システム２２２を有している。除湿システム２２２は、ベンチュリ・セクション１７０、デシカント・ホイール・システム２２４及びバイパス２２６を有している。
【００５２】
デシカント・ホイール・システム２２４は、デシカント・ホイール２２８とホイール・ドライブ・ユニット２３０を有している。デシカント・ドライブ・ユニット２３０は、デシカント・ホイール２２８の一部分がデータセンタ１０２の熱発生コンポーネントへの供給空気の流れの中にあり、かつ、デシカント・ホイール２２８の他の部分がデータセンタ１０２の熱発生コンポーネントからの帰還空気の流れの中にあるように、デシカント・ホイール２２８を回転させ得る。
【００５３】
デシカント・ホイール２２４は、空気が供給ファン１３８によってデシカント・ホイール２２８を介して引き入れられるときに空気から水を除去する乾燥剤材料を備えている。帰還ダクト１１０を介して流れる空気は、乾燥剤材料を再活性化するためにデシカント・ホイール２２８の一部を介して移送される。実施形態には、ヒータ２３２は、空気が再活性化されるデシカント・ホイール２２８の一部を通る前に、帰還ダクト１１０内の空気を加熱するように作動されるものもある。ヒータ２３２は、さまざまな実施形態では、ガスヒータまたは電気ヒータであってもよい。
【００５４】
実施形態には、デシカント装置の再活性化のための空気は外気から引き出されるものもある。例えば、図３に図示されている一実施形態では、デシカント・ホイール２２８を再活性化するために外気を使用するために、帰還空気ダンパ２３５及び帰還空気バイパスダンパ１６２が閉じられ、または部分的に閉じられる。空気移送装置１４４がデシカント・ホイール２２８の一部を介して空気を移送させてデシカント・ホイール２２８が再活性化されるように、外気再活性化ダンパ２３６が開いてもよい。実施形態には、再活性化空気が、外気と帰還空気の混合物であるものもある。例えば、外気再活性化ダンパ２３６と帰還空気ダンパ２３５の両方を部分的に開いて、コンピューティング部屋からの空気と外気の混合物が、デシカント・ホイール２２８の再活性化部に供給されるようにしてもよい。
【００５５】
図４は、デシカント・ホイールの一実施形態を図示している。デシカント・ホイール２４０は乾燥剤材料２４２を含んでいる。デシカント・ホイール２４０は、デシカント・ホイール２４０の各部分が交互に乾燥ゾーン２４４及び再活性化ゾーン２４６を通過するように回転（例えば、ベルトドライブを使用して）させる。除湿される空気の流れを乾燥ゾーン２４４に、また再活性化する（例えば、乾燥材料を乾燥する）空気の流れを再活性化ゾーン２４６に導くためにダクトのシステム（ダクトは記述を明確にするために図４に図示されていない）が使用され得る。デシカント・ホイールで使用することができる例示的な乾燥剤はシリカゲル、活性炭、塩化カルシウムまたは塩化リチウムを含んでいる。デシカント・ホイール２４０が回転するとき、デシカント・ホイール２４０の各部分が、乾燥モードと再活性化モードの間を循環する。
【００５６】
実施形態には、電気システムから熱を除去するためのシステムは、１つ以上の乾燥剤除湿デバイス及び蒸発冷却装置を含んでいるものもある。除湿装置への空気流は、空気流制御装置を使用して制御される。
【００５７】
実施形態の中には、データセンタが、電気機器及び冷却システムを備えているものもある。冷却システムは、デシカント・ホイールと、デシカント・ホイールの下流に蒸発冷却デバイスを含んでいる。デシカント・ホイールに空気の流れを制御するために空気流制御装置（例えば、ルーバのセット）が使用される。
【００５８】
実施形態には、空気がルーバのセットを介してユニットに入るものもある。ルーバは、入口の空気の流れを制御するように動力化されている。そこから、空気がデシカント・ホイールを通過する。デシカント・ホイールは、空気の水分含有量（又は相対湿度（％））を減少する。空気は、ファン区画を介し、次いで空気を冷却する蒸発冷却媒体を通過する。最後に、空気が空調空間に送られる。
【００５９】
図５は、デシカント・ホイールに空気の流れを制御するダンパを備えたデシカント・ホイール及びデシカント・バイパス・ダクトを有するデータセンタの一実施形態を図示している。  冷却システム２６０。冷却システム２６０は、除湿システム２６２を含んでいる。冷却する除湿システム２６２は、デシカント・ホイール・システム２３４、バイパス２６４、ホイールダンパ２６６及びバイパスダンパを備えている。ホイールダンパ２６６及びバイパスダンパ２６８は、制御ユニット１５０に接続してもよい。デシカント・ホイール２２４への空気流は、ホイールダンパ２６６とバイパスダンパ２６８を使用して制御される。例えば、空気が蒸発冷却器１３６に導入される前に除湿が要求される場合、ホイールダンパ２６６を開き、バイパスダンパ２６８を閉じることができる。空気の除湿が要求されない場合には、ホイールダンパ２６６を閉じ、バイパスダンパ２６８を開くことができる。実施形態には、蒸発冷却器１３６に導入される空気が、デシカント・ホイール・システム２６２の１つまたは複数の使用によって除湿された空気と外気の混合物であるものもある。
【００６０】
実施形態には、複数のデシカント・ホイールは、処理された空気の量を空間に送るために使用されるものもある。ダクトを通った新鮮な空気とダンパ機構を使用して、空調空間に送られる空気の一定量を維持しながら、処理される空気の量が増加または減少される。
【００６１】
図６は、デシカント・ホイールへの空気の流れを制御するためのダンパを有する複数のデシカント・ホイールを備えたデータセンタの一実施形態を図示している。冷却システム２８０は、デシカント・ホイール・システム２８２、デシカント・ダクト・システム２８４、再活性化ダクトシステム２８６、デシカント・システム・バイパス２８７及び再活性化システムバイパス２８８を含んでいる。デシカント・システム・メイン・ダンパ２８９及びデシカント・システム・バイパス・ダンパ２９０は、供給ファン１３８への源泉空気を制御するように作動されてもよい。再活性化メインダンパ２９１及び再活性化バイパスダンパ２９２は、デシカント・ホイール・システム２８２内の乾燥剤を再活性化するために、空気の流れを制御するように作動されてもよい。
【００６２】
各デシカント・ホイール・システム２８２は、デシカント・ホイール・システム２９４、デシカントダンパ２９６及び再活性化ダンパ２９８を含んでいる。デシカント・ホイール・システム２９４、デシカントダンパ２９６及び再活性化ダンパ２９８は、制御ユニット１５０によって制御される。
【００６３】
実施形態の中には、空気が蒸発冷却器１３６を横切って通過する前に、空気の除湿をするために、１つまたは複数のデシカント・ホイール・システム２８２が作動されるものもある。活性化デシカント・ホイール・システムの数、従って各活性化デシカント・ホイール・システムの動作パラメータは、データセンタ内の条件またはデータセンタの内外の環境条件に基づいてもよい。再活性化されるデシカント・ホイール・システムの数は、同様に、データセンタ内の条件またはデータセンタの内外の環境条件に基づいてもよい。例えば、外気の湿度が比較的低い場合、デシカント・ホイール・システム２８２の３つ全てが、デシカント・システム・バイパス２８７を使用してバイパスとされ得る。また、逆に、外気の湿度が比較的高い場合、デシカント・システム・ダンパ２９６とデシカント・システム・メイン・ダンパ２９８９を開くことによって、デシカント・ホイール・システム２８２の３つ全てが作動される。実施形態には、デシカント・ホイール・システム２８２のサブセットのみが作動され得る（例えば、デシカント・ホイール・システム２８２の１つまたは２つのみ）ものもある。実施形態の中には、蒸発冷却器１３６に供給される空気が、外気と１つまたは複数のデシカント・ホイール・システム２８２を使用して、除湿された空気と混合物であるものもある。
【００６４】
図７は、データセンタ内の電気負荷からの熱を乾燥剤再活性化ループに伝達するための熱交換器を備えたデータセンタを図示している。冷却システム３２０は、除湿システム３２２、コンピューティング部屋排気ダクト３２４、コンピューティング部屋排気ファン３２６及び再活性化ループ３２８を含んでいる。再活性化ループ３２８は、再活性化熱交換器３３０を備えている。再活性化熱交換器３３０は、コンピューティング部屋排気ダクト３２４を通過する空気から、熱を再活性化ループ３３０内の空気に伝達できる。加熱された空気は、ホイール内の乾燥剤を再活性化するために、強制的にデシカント・ホイール２２８の再活性化ゾーンを通され得る。一実施形態では、再活性化熱交換器３３０は、サーマルホイールである。別の実施形態では、再活性化熱交換器３３０は、平板枠熱交換器である。所定の実施形態では、コンピューティング部屋排気ダクト３２４内の空気は、再活性化熱交換器３３０を通過する前に、ヒータ２３２を使用して予備加熱される。
【００６５】
図７に図示されているように、再活性化ループのための空気は、主供給空気ダクトからコンピュータ部屋に引き入れられる。しかしながら、所定の実施形態では、再活性化ループのための空気は、供給空気ダクトに加えて、またはその代わりに外気から引き入れられてもよい。
【００６６】
図８は、乾燥剤の再活性化を促進するためのソーラ熱システムを有するデータセンタを示している。冷却システム３６０は、除湿システム３６２とソーラ加熱装置３６４を含んでいる。ソーラ加熱装置３６４は、太陽の熱を再活性化ループ３６６の空気に伝達することができる。ホイール内の乾燥剤を再活性化するために、加熱された空気はデシカント・ホイール２２８の再活性化ゾーンを強制的に通され得る。所定の実施形態では、再活性化ループ３６６内の空気のソーラ加熱は、電気ヒータやガス加熱器のような他の熱源を用いて補充される。
【００６７】
実施形態には、処理空気からデシカント・ホイールを再活性化するための空気が、デシカント・ホイールを使用して除湿されているものもある。一実施形態では、コンピューティング部屋のデシカント・ホイールの再活性化のための空気がデータセンタ内の電気システムを通過する空気から隔離される。
【００６８】
実施形態の中には、デシカント・ホイールを再活性化するための空気が、除湿されるホイールの同じ側に導入されるものもある。図９は、乾燥剤の再活性化のための逆流配列のデシカント・ホイールを有する建物の一実施形態を図示している。システム３８０は、再活性化ダクトシステム３８２を含んでいる。再活性化されるデシカント・ホイール２２８の一部が、再活性化ダクトシステム３８２を通過する。再活性化空気移送装置３８４は、再活性化されているデシカント・ホイール２２８の一部を介して、空気を移送する（図９において右から左へ）。再活性化ダクトシステム３８２は、帰還ダクト１１０から隔離される。
【００６９】
実施形態には、建物内の電気システムから熱を除去する方法は、空気中の水分の一部を水滴に変換するために、空気流をダクトのくびれ部を介して移送させることを含んでいるものもある。
【００７０】
図１０は、空気と水の液滴の２相混合物を使用して、データセンタ内の電気システムを冷却する一実施形態を図示している。４００において、空気中の水分の少なくとも一部が水蒸気から水滴に変換されるように、空気がダクトのくびれ部を介して移送される。一実施形態では、くびれ部がダクトのベンチュリ・セクションに含まれている。水蒸気は、高速かつ低圧力の領域で飽和状態から脱する。
【００７１】
４０２において、空気と水の液滴を含んでいる２相混合物は、ダクトを通して送られる。実施形態には、２相混合物が霧を含んでいるものもある。２相混合物を、くびれ部の下流にある空気移送装置によってくびれ部から引き出されてもよい。
【００７２】
４０４において、電気機器は、２相混合物を使用して冷却される。実施形態には、水がインピンジメント・プレート・システムまたはデシカント・ホイールのような水分除去装置によって２相混合物から除去されるものもある。水分除去装置の下流の乾燥した空気は蒸発冷却器を通すことができる。蒸発冷却器からの空気は、データセンタ内のサーバ等の電気機器を冷却するために使用される。
【００７３】
実施形態には、除湿システム内の空気の流れや他の動作特性は、建物の内外にあるセンサからの情報に基づいて制御されるものもある。除湿を制御するために使用されるセンサの種類は、温度センサ、湿度センサ、圧力センサ及び空気速度センサを含んでいる。
【００７４】
実施形態には、電気システムから熱を除去するための方法は、空気の流れの流量を制御することを含んでいるものもある。空気の流れは、空気を除湿するために、乾燥剤を横切って移送される。除湿空気は湿った媒体を通じて移送される。熱は、湿った媒体からの空気を使用して電気システムから除去される。
【００７５】
図１１は、デシカント・ホイールへの空気流を制御して、データセンタの電気システムを冷却する一実施形態を図示している。４２０において、空気流の速度が制御される。
【００７６】
４２２において、１つまたは複数の空気流が、空気から水蒸気を除去するために、乾燥剤を横切って移送される。実施形態には、空気がデシカント・ホイールを通過するものもある。実施形態には、２以上のデシカント・ホイールへの空気流が独立に制御されるものもある。各デシカント・ホイールへの空気流は、データセンタ内の条件、外気、またはその両方に基づいて制御される。例えば、冷却システムに導入される源泉空気が比較的乾燥している場合、１つのデシカント・ホイールへのダンパが開くか、またはいずれのデシカント・ホイールも開かないことがあり得る。冷却システムの源泉空気が比較的湿度が高い場合、２つ以上のデシカント・ホイールに空気を供給するためにダンパを開くことができる。
【００７７】
４２４において、空気流が湿った媒体を横切ってまたは媒体を通して通過する。実施形態には、空気が蒸発冷却器を通過するものもある。
【００７８】
４２６において、熱は湿った媒体からの空気を用いて電気システムから除去される。実施形態には、電気システムが、データセンタのコンピューティング部屋内のラック搭載計算装置であるものもある。
【００７９】
図１２は、上部及び下部の蒸発媒体バンクを含む蒸発冷却システムの一実施形態を図示している流体回路図である。蒸発冷却システム５００は、蒸発媒体上部バンク５０２及び蒸発媒体下部バンク５０４を備えている。一実施形態では、蒸発媒体は、Ｍｕｎｔｅｒｓ  Ｃｏｒｐｏｒａｔｉｏｎ製Ｃｅｌｄｅｋ媒体である。国内の水供給施設からの供給は、供給弁５０６を介してなされる。水は、分配マニホールド５０８を介して、蒸発媒体上部バンク５０２及び蒸発媒体下部バンク５０４にそれぞれ供給される。水は、ポンプ５１０を用い、ボトムサンプ５１２から分配マニホールド５０８に供給されてもよい。マニホールド５０８への流れ及び/または媒体内の水レベルの均衡を保つために、バランス弁５１４が制御される。水は、三方弁５２０を介して、サンプ５１２に再循環することができる。水は、ドレイン弁５２２を介して、システムから排出または除去することができる。
【００８０】
所定の実施形態では、蒸発冷却システムは、他の蒸発媒体バンクを通る流れが阻害されるが、蒸発媒体バンクのいずれかを使用して作動させることができる。蒸発冷却器からの空気は、供給ベント４０２を介して、データセンタの１つまたは複数の部屋に通すことができる。
【００８１】
データセンタからの帰還空気は、帰還空気室に収容される。実施形態には、帰還空気室の空気が、排気口を介して外部に排出されるものもある。他の実施形態では、混合空気ダンパは、帰還空気の一部または全てを混合領域に入ってくる外気と混合するように作動される。所定の実施形態では、帰還空気室の空気が、帰還空気バイパスを介して、押し出される。帰還空気バイパスを通る流れは、帰還空気バイパスダンパによって制御される。
【００８２】
所定の実施形態では、蒸発冷却システムに代えて、またはその代わりに機械的な冷却システムを備えている。一実施形態では、熱除去サブシステムは、空調用冷媒サブシステムを備えている。別の実施形態では、熱除去サブシステムは、冷却タワーのサブシステムを備えている。更に、別の実施形態では、熱除去サブシステムは、水道水サブシステムを備えている。所定の実施形態では、空調用冷媒システムのような機械的冷却システムは、図１に関連して上述した空気処理サブシステム１０４のような空気処理サブシステム内の冷却空気に直接熱伝達の連通をしていてもよい。
【００８３】
所定の実施形態では、冷却システムの総出力を増加または低下させるように１つまたは複数のサブシステム（例えば、ＣＲＡＣ）の動作が制御される。所定の実施形態において、冷却性能の所望のレベルを達成するために、通常モードからフリー冷却モードに切り替えるユニット数を選択することができる。実施形態の中には、外気と帰還空気との間の切り替え及び/または冷凍機の遮断が、段階的に発生するようにプログラミングできるものもある。
【００８４】
上記の図では、明確な記述のために、制御ユニットとダンパとファンとの間の接続は図示されていない。しかしながら、さまざまな実施形態では、図示されているダンパの一部またはすべては自動的に制御される（例えば、プログラマブル・ロジック・コントローラ）。また、図面に示されたいずれかまたは全てのダンパは、ダンパの位置を制御するためにアクチュエータまたは他の機構を含んでもよい。
【００８５】
本明細書の多くの実施形態に記載されたことにも関わらず、除湿を含む非機械的な冷却は、データセンタ内の電気システムのための例示の目的で記載されている。しかし、除湿は、さまざまな実施形態において、他のタイプの建物と他のタイプの熱発生コンポーネントの場合に実行されてもよい。例えば、除湿を含む非機械的な冷却は、パワープラント、製造工場、医療設備またはオフィスビルを冷却するために使用することができる。
【００８６】
開示の実施形態は、次節を考慮して、記述することができる。
１．熱発生コンポーネントを含む複数の電気装置、及び、
冷却システムであって、
１つまたは複数のデシカント・ホイールと、
少なくとも１つのデシカント・ホイールの下流にある１つまたは複数の蒸発冷却装置と、
１つまたは複数の空気移送装置と、
１つまたは複数の空気流制御装置を備える、
前記冷却システムと、
少なくとも１つの空気移送装置は、少なくとも１つのデシカント・ホイールと、少なくとも１つまたは複数の蒸発冷却装置と、電気装置の少なくとも１つの熱発生コンポーネントを介して空気を移送するように構成され、
少なくとも１つの空気流制御装置は少なくとも１つのデシカント・ホイールを介して流れを制御するように構成されている、
を備えるデータセンタ。
２．冷却システムは、デシカント・ホイールを再活性化するために、少なくとも１つのデシカント・ホイールを介して空気を移送するように構成され、冷却システムは電気装置からの熱を、少なくとも１つのデシカント・ホイールの再活性化を促進するために供給される空気の少なくとも一部に変換するように構成されている第１節のシステム。
３．１つまたは複数のデシカント・ホイールは２つ以上のデシカント・ホイールを備え、少なくとも２つのデシカント・ホイールの各々は異なった空気流を除湿するように構成されている第１節のシステム。
４．電気システムから熱を除去するシステムであって、
乾燥剤を備えた１つまたは複数の除湿装置と、
１つまたは複数の蒸発冷却装置と、
１つまたは複数の空気移送装置と、
１つまたは複数の空気流制御装置を備え、
少なくとも１つの空気移送装置は、少なくとも１つの除湿装置と、少なくとも１つまたは複数の蒸発冷却装置と、１つまたは複数の電気システムを介して空気を移送するように構成され、
１つまたは複数の空気流制御装置は、少なくとも１つの除湿装置を介して流速を制御するように構成されている
システム。
５．少なくとも１つの除湿装置は、デシカント・ホイールを備える第４節のシステム。
６．少なくとも１つの空気流制御装置は、１つまたは複数の組みのダンパを備え、少なくとも１つの空気流制御装置が、除湿装置を介する空気の流速を変化させるために、少なくとも１つのダンパの開閉をするように構成されている第４節のシステム。
７．少なくとも１つの除湿装置をバイパスするように構成可能な１つまたは複数のダクトを更に備える第４節のシステム。
８．少なくとも１つの空気流制御装置は、制御器を備え、その制御器は少なくとも１つの除湿装置を介する空気の流速を制御するように構成されている第４節のシステム。
９．更に、制御システムに連結された１つまたは複数の温度センサを備え、制御システムは、少なくとも１つの温度センサからの情報に少なくとも部分的に基づき、ダクトの空気流を制御するように構成されている、第８節のシステム。
１０．更に、制御システムに連結された１つまたは複数の湿度センサを備え、制御システムは、少なくとも１つの湿度センサからの情報に少なくとも部分的に基づき、ダクトの空気流を制御するように構成されている、第８節のシステム。
１１．第４節のシステムであって、更に、混合プレナムを備え、当該システムは、外気と少なくとも１つの除湿装置によって調整された空気を混合するように構成されている、システム。
１２．１つまたは複数の除湿装置は２つ以上のデシカント・ホイールを備え、少なくとも２つ以上のデシカント・ホイールの各々は異なった空気流を除湿するように構成されている第４節のシステム。
１３．１つまたは複数の空気流制御装置は、２つ以上空気流制御装置を備え、少なくとも２つの空気流制御装置の各々は、デシカント・ホイールの異なる１つのデシカント・ホイールを介する空気流速度を制御するように構成可能な第１２節のシステム。
１４．少なくとも１つの除湿装置の上流のダクトにくびれ部を更に備え、少なくとも１つの空気移送装置は、空気中の水分の少なくとも一部が水蒸気から水滴に変換するようにダクトのくびれ部を介して空気を移動するように構成されている、第４節のシステム。
１５．電気装置がデータセンタにあり、当該システムはデータセンタの電気装置からの加熱空気を少なくとも１つのデシカント・ホイールを介して移送するように構成され、加熱空気はデシカント・ホイールの再活性化を促進する、第４節のシステム。
１６．第４節のシステムであって、空気を加熱するように構成されたソーラ加熱装置を、更に、備えて、システムはデシカント・ホイールの再活性化を促進するために、ソーラ加熱装置によって加熱された空気の少なくとも一部を少なくとも１つのデシカント・ホイールを介して移送するように構成される、システム。
１７．第４節のシステムであって、電気システムによって加熱された第１空気流から第２空気流の熱に変換ように構成された熱交換器を、更に、備えて、システムはデシカント・ホイールの再活性化を促進するために、第２空気流からの空気の少なくとも一部を少なくとも１つのデシカント・ホイールを介して移送する構成にされる、システム。
１８．ダクトに１つまたは複数のベンチュリ・セクションを、更に、備えて、ベンチュリ・システムは少なくとも１つのデシカント・ホイールの再活性化を促進するために使用される空気の少なくとも一部の圧力を減少させるように構成される、第４節のシステム。
１９．１つまたは複数の空気流の流速を制御することと、
空気から水蒸気を除去するために、乾燥剤を通して少なくとも１つの空気流の少なくとも一部を移送することと、
湿った媒体を介して上記空気流の少なくとも一部を移送することと、
その湿った媒体からの上記空気の少なくとも一部を使用して１つまたは複数の電気システムからの熱を除去することと、
を含む、電気システムからの熱を除去する方法。
２０．電気システムによって加熱された空気の少なくとも一部を、乾燥剤を再活性化するために、乾燥剤の少なくとも一部を通して移送することを、更に含み、第１９節の方法。
２１．空気流をソーラ加熱することと、
ソーラ加熱された空気の少なくとも一部を、乾燥剤を再活性化するために、乾燥剤を通して移送することと、
を更に含む第１９節の方法。
２２．１つまたは複数の空気流の流速を制御することは、乾燥剤に対する空気流の速度を変化させるために、１つまたは複数のダンパを作動することを含む、第１９節の方法。
２３．１つまたは複数の空気流の流速を制御することは、第１デシカント・ホイールに対して第１空気流の流速を制御することと、第２デシカント・ホイールに対して第２空気流の流速を制御することとを含み、空気流の少なくとも１つの少なくとも一部を乾燥剤を通して移送することは、第１空気流を第１デシカント・ホイールを通過させ、第２空気流を第２デシカント・ホイールを通過させることである、第１９節の方法。
２４．建物の部屋に連結されるダクトであって、１つまたは複数のベンチュリ・セクションを備えるダクトと、
１つまたは複数の空気移送装置と、を備え、
その空気移送装置の少なくとも１つは、空気中の水分の少なくとも一部が水蒸気から水滴に変換されるように、空気をダクトの少なくとも１つのベンチュリ・セクションの少なくとも１つを介して移送するように構成され、
水滴の少なくとも一部分は、空気と水とを含む２相混合物により少なくとも１つのベンチュリ・セクションから下流に運ばれる、建物の熱発生コンポーネント冷却システム。
２５．混合物から水の少なくとも一部を取り除くように構成された１つまたは複数の水分除去装置を更に備える、第２４節のシステム。
２６．ダクトの少なくとも１つのベンチュリ・セクションから下流に蒸発冷却装置を更に備え、その蒸発冷却装置は、当該蒸発冷却装置を通過する空気の少なくとも一部を冷却するように構成されている第２４節のシステム。
２７．部屋がデータセンタのコンピューティング部屋であり、少なくとも１つの空気移送装置が、電気装置からの熱を除去するために、コンピューティング部屋の電気装置を介して空気を移送するように構成されている第２４節のシステム。
２８．建物の部屋に連結されたダクトであって、１つまたは複数のくびれ部を備えるダクトと、
１つまたは複数の空気移送装置と、を備え、
少なくとも１つの空気移送装置が、空気中の水分の少なくとも一部が水蒸気から水滴に変換されるようにダクトのくびれ部の少なくとも１つを介して空気を移送するように構成され、水滴の少なくとも一部が、空気と水とを含む２相混合物により少なくとも１つのくびれ部の下流に運ばれる、
システム。
２９．少なくとも１つの空気移送装置が、ダクトの少なくとも１つのくびれ部より下流である、第２８節のシステム。
３０．空気の温度が下がるように、空気移送装置がダクトのくびれ部を介して、空気を移送するように構成されている、第２８節のシステム。
３１．部屋がデータセンタのコンピューティング部屋であり、少なくとも１つの空気移送装置がコンピューティング部屋の電気装置を介して空気を移送して、空気移送装置から熱を除去するように構成されている、第２８節のシステム。
３２．当該混合物から水分の少なくとも一部を除去するように構成されている１つまたは複数の水分除去装置を更に備える、第２８節のシステム。
３３．少なくとも１つの水分除去装置が、凝縮物として混合物の液体水分の少なくとも一部を集めるように構成された１つ又は複数のプレートを備える、第３２節のシステム。
３４．少なくとも１つの水分除去装置が、混合物から液体水分の少なくとも一部を除去するように構成されている１つまたは複数のデシカント装置を備える、第３２節のシステム。
３５．更に、ダクトのくびれ部の下流の蒸発冷却装置を備え、その蒸発冷却装置が蒸発冷却装置を越えて通過する空気の少なくとも一部を冷却するように構成されている第２８節のシステム。
３６．２相混合物の少なくとも一部が、部屋から戻された加熱された空気と混合するように構成されたプレナムを更に備える、第２８節のシステム。
３７．少なくとも１つの空気移送装置を制御するように構成されたコントロールシステムを更に備える、第２８節のシステム。
３８．第２８節のシステムであって、システムが、１つまたは複数の水分除去装置を備え、制御システムが、１つまたは複数の水分除去装置を介して空気を導くことなく、ダクトの少なくとも１つのくびれ部を介して、空気を導くように構成可能な、システム。
３９．制御システムが、ダクトの１つまたは複数のくびれ部を介して空気を導くことなく、少なくとも１つの水分除去装置を介して空気を導くように構成可能な、第２８節のシステム。
４０．制御システムが、外気とダクトのくびれ部の下流空気と混合するように構成可能な、第２８節のシステム。
４１．制御システムに連結された１つまたは複数の温度センサを更に備え、制御システムが、少なくとも１つの温度センサからの情報に少なくとも部分的に基づいて、ダクトの空気流を制御するように構成される、第２８節のシステム。
４２．制御システムに連結された１つまたは複数の湿度センサを更に備え、制御システムが、少なくとも１つの湿度センサからの情報に少なくとも部分的に基づいて、ダクトの空気流を制御するように構成される、第２８節のシステム。
４３．空気中の水分の少なくとも一部が水蒸気から水滴に変換されるようにダクトのくびれ部を介して空気を移送することと、
空気と少なくとも水滴の一部とを含む２相混合物を移送することと、
２相混合物の少なくとも一部を使用して１つまたは複数の電気装置を冷却することと、
を含む、建物の電気システムからの熱を除去する方法。
４４．２相混合物から水滴の少なくとも一部を除去することを更に含む第４３節の方法。
４５．くびれ部から下流の空気中に水を蒸発させて空気を冷却することを更に含む、第４４節の方法。
４６．１つまたは複数の電気装置を冷却することが、データセンタの計算装置からの熱を除去することを更に含む、第４３節の方法。
４７．１つまたは複数の電気装置を冷却することが、
２相混合物と建物の部屋からの帰還空気を混合して帰還空気を冷却することと、
帰還空気の少なくとも一部を部屋に再循環させることを含む、第４３節の方法。
【００８７】
上述の実施形態はかなり詳細に及んだが、上述の開示を十分理解すれば、数多くの変形や修正が、この分野の通常の知識を有する者にとって明らかとなる。次の特許請求の範囲は、全てのそのような変形や修正を包摂するものである。
【図１】
2016526142.tif 000003
【図２】
2016526142.tif 000004
【図３】
2016526142.tif 000005
【図４】
2016526142.tif 000006
【図５】
2016526142.tif 000007
【図６】
2016526142.tif 000008
【図７】
2016526142.tif 000009
【図８】
2016526142.tif 000010
【図９】
2016526142.tif 000011
【図１０】
2016526142.tif 000012
【図１１】
2016526142.tif 000013
【図１２】
2016526142.tif 000014
【国際調査報告】
2016526142.tif 000015